(57)【特許請求の範囲】
【請求項１】
シート状の商品サンプルシートと、この商品サンプルシートを保持した状態で展示するサンプルホルダとを備え、
前記サンプルホルダは、ベース部と、前記ベース部から上方に延びる立設部と、前記商品サンプルシートを前記立設部の表面部または裏面部に沿う姿勢に保持する保持部とを有し、
前記立設部が、平面視して中央部が前方に膨出する形状または後方に窪む形状に形成され、
前記保持部は、前記商品サンプルシートの底辺部および側辺部を挟持する箇所に形成され、前記商品サンプルシートが、前記立設部の上辺部よりも上方に延出可能に構成されている
ことを特徴とする自動販売機のサンプル展示体。
【請求項２】
シート状の商品サンプルシートと、この商品サンプルシートを保持した状態で展示するサンプルホルダとを備え、
前記サンプルホルダは、ベース部と、前記ベース部から上方に延びる立設部と、前記商品サンプルシートを前記立設部の表面部または裏面部に沿う姿勢に保持する保持部とを有し、
前記保持部は、前記商品サンプルシートの底辺部および側辺部を挟持する箇所に形成され、前記商品サンプルシートが、前記立設部の上辺部よりも上方に延出可能に構成されている
ことを特徴とする自動販売機のサンプル展示体。
【請求項３】
前記保持部が、前記立設部よりも前方または後方に位置するように配設され、切り起こし形状からなることを特徴とする請求項１または２に記載の自動販売機のサンプル展示体。
【請求項４】
前記立設部の上部が、この上部における幅方向中央部が左右方向の左側部および右側部よりも上方に延びている形状に形成されていることを特徴とする請求項１〜３の何れか１項に記載の自動販売機のサンプル展示体。
【請求項５】
サンプル展示室の背面に、サンプルホルダを挟持する左右の挟持アームが設けられ、
左辺部と右辺部との少なくとも前記挟持アームに当接する部分が前後に延びる形状に形成されていることを特徴とする請求項１〜４の何れか１項に記載の自動販売機のサンプル展示体。
【発明の詳細な説明】
【技術分野】
【０００１】
本発明は自動販売機のサンプル展示体に関する。
【背景技術】
【０００２】
自動販売機の接客面には商品サンプル展示室が設けられており、商品サンプル展示室には横方向に延びる商品棚が上下に複数段配設されている。そして、各商品棚の上に、複数の商品サンプル（商品見本とも称せられる）が左右に所定間隔をあけた状態で並べられている。特許文献１、２などに開示されているように、商品棚には商品サンプルを組み付ける開口部（孔部）が形成され、この開口部に商品サンプルの底部を嵌め込んだ状態で、半割円筒形状などの商品に似せた専用の商品サンプルを立設させて展示している。なお、各商品サンプルは透光性を有しており、照明装置によって外側だけでなく、前記開口部を通して内部からも照明されるよう構成されている。
【０００３】
このような従来から用いられている商品サンプルは、商品毎に形状やデザインの異なる専用のものが、個別の金型などを用いて、半割円筒形状などの立体形状で樹脂やフィルム等で作成されている。
【先行技術文献】
【特許文献】
【０００４】
【特許文献１】実用新案登録第３０９１９７６号公報
【特許文献２】実用新案登録第３０９９７７２号公報
【発明の概要】
【発明が解決しようとする課題】
【０００５】
上記のように、従来は商品サンプルが専用のもので形成されているので、販売商品の変更があると、専用の商品サンプルをその度に調達しなければならず、また、商品サンプルとして商品ごとに個別の金型などを用いて製造するため、高価となって費用がかさんでいた。さらに、個別の金型が未だ無い場合には、金型の作成から始めなくてはならず、商品サンプルを完成するまでに多くの時間がかかっていた。そのために、商品が新製品である場合に商品サンプルが未完成であることがあり、この場合には、商品サンプルを展示できないために、新製品の商品の自動販売機での販売ができなくなる。
【０００６】
本発明は上記課題を解決するもので、商品が変更される場合やその場合の商品が新製品である場合でも容易にかつ安価に商品サンプルに対応するサンプル展示体を提供することを目的とするものである。
【課題を解決するための手段】
【０００７】
上記課題を解決するために、本発明の請求項１、２に係る自動販売機のサンプル展示体は、シート状の商品サンプルシートと、この商品サンプルシートを保持した状態で展示するサンプルホルダとを備え、前記サンプルホルダは、ベース部と、前記ベース部から上方に延びる立設部と、前記商品サンプルシートを前記立設部の表面部または裏面部に沿う姿勢に保持する保持部とを有し、前記保持部は、前記商品サンプルシートの底辺部および側辺部を挟持する箇所に形成され、前記商品サンプルシートが、前記立設部の上辺部よりも上方に延出可能に構成されていることを特徴とする。
【０００８】
上記構成によれば、商品が変更される場合やその場合の商品が新製品である場合でも、その実物商品をカメラで撮って写真、若しくは紙に印刷するなどして商品サンプルシートとし、この商品サンプルシートをサンプルホルダの立設部の表面部または裏面部に沿う姿勢に保持させ、この商品サンプルシートを保持させることにより、前記商品に対応するサンプル展示体を容易かつ安価に展示することができる。また、前記保持部が、前記商品サンプルシートの底辺部および側辺部を挟持する箇所に形成され、前記商品サンプルシートが、前記立設部の上辺部よりも上方に延出可能に構成されていることにより、ＰＥＴボトル商品など背の高い商品を印刷した商品サンプルシートでも支障なく前記立設部から上方に延出させた状態で保持させて展示できる。
【０００９】
また、本発明の請求項１に係る自動販売機のサンプル展示体は、上記構成に加えて、前記立設部が、平面視して中央部が前方に膨出する形状または後方に窪む形状に形成されていることを特徴とする。この構成により、商品サンプルシートを立体的に展示することができる。また、立設部に沿って商品サンプルシートも、平面視して中央部が前方に膨出する形状または後方に窪む形状になるので、商品サンプルシートが自立した状態で展示され、見栄えがよい。
【００１１】
また、本発明の前記保持部が、前記立設部よりも前方または後方に位置するように配設さ、切り起こし形状からなることを特徴とする。この構成により、前記立設部の前方または後方で商品サンプルシートが自立した状態で保持される。この場合に、商品サンプルシートを、前記立設部の上辺部分よりも上方に延出するように形成するとともに前記立設部の前方で保持させることで、自動販売機の利用者が商品サンプルシートを見た際に、立設部の上辺端部が商品サンプルシートの裏側に隠れて、見栄えを向上させることができる。
【００１２】
また、本発明の前記立設部の上部が、この上部における幅方向中央部が左右方向の左側部および右側部よりも上方に延びている形状に形成されていることを特徴とする。この構成により、前記立設部に沿って配設された商品サンプルシートがより自立しやすくなるので、商品サンプルシートが良好な体裁を保った状態で自立して、見栄えをさらに向上させることができる。
【００１３】
また、本発明は、サンプル展示室の背面に、サンプルホルダを挟持する左右の挟持アームが設けられ、左辺部と右辺部との少なくとも前記挟持アームに当接する部分が前後に延びる形状に形成されていることを特徴とする。
【００１４】
この構成により、立設部における左辺部と右辺部とが、サンプルホルダを挟持する左右の挟持アームに対して良好に当接する。
【発明の効果】
【００１５】
本発明によれば、商品サンプルシートを保持した状態で展示するサンプルホルダを、ベース部と、前記ベース部から上方に延びる立設部と、前記商品サンプルシートを前記立設部の表面部または裏面部に沿う姿勢に保持する保持部とにより構成することで、商品が変更される場合やその場合の商品が新製品である場合でも、この商品に対応する商品サンプルシートを容易かつ安価に展示することができる。
【００１６】
また、立設部を、平面視して中央部が前方に膨出する形状または後方に窪む形状に形成することで、商品サンプルシートが自立して見栄えがよい状態で展示することができる。また、商品サンプルシートが、立設部の上辺部分よりも上方に延出可能に構成することで、ＰＥＴボトル商品など背の高い商品を印刷した商品サンプルシートでも支障なく前記立設部から上方に延出させた状態で保持させて展示できる。
【００１７】
また、商品サンプルシートを、立設部の上辺部分よりも上方に延出するように形成するとともに立設部の前方で保持させることで、商品サンプルシートの前に立設部の上辺端部が見えて体裁が悪くなってしまう不具合を防止できて、見栄えを向上させることができる。さらに、前記立設部の上部を、この上部における幅方向中央部が左右方向の左側部および右側部よりも上方に延びている形状に形成することにより、立設部に沿って配設された商品サンプルシートがより自立しやすくなるので、商品サンプルシートが良好な体裁を保った状態で自立して、見栄えをさらに向上させることができる。
【００１８】
また、サンプル展示室の背面に、サンプルホルダを挟持する左右の挟持アームが設けられる場合において、左辺部と右辺部との少なくとも前記挟持アームに当接する部分が前後に延びる形状に形成することで、サンプルホルダを左右の挟持アームに良好に当接させることができる。
【図面の簡単な説明】
【００１９】
【図１】本発明の実施の形態に係る自動販売機の全体斜視図である。なお、サンプル展示室に設けられている上段のサンプル展示装置の右端より２つのサンプル展示体は、サンプルホルダに商品サンプルシートを入れていない状態を示している。
【図２】同自動販売機の側面断面図である。
【図３】同自動販売機の前扉を開けた状態の斜視図である。
【図４】（ａ）および（ｂ）はそれぞれ同自動販売機における商品棚の開口部の平面図である。
【図５】同自動販売機のサンプル展示体の斜視図である。
【図６】同サンプル展示体の商品サンプルシートの正面図である。
【図７】（ａ）、（ｂ）および（ｃ）は同サンプル展示体のサンプルホルダの平面図、正面図および側面図である。
【図８】同サンプルホルダの要部拡大側面断面図である。
【図９】同サンプルホルダを下方から見た底面図である。
【図１０】同サンプルホルダの変形例の平面図である。
【図１１】同サンプルホルダの立設部の上部を簡略的に示す正面図である。
【図１２】本発明の他の実施の形態に係るサンプルホルダの平面図である。
【図１３】同他の実施の形態に係るサンプル展示体の斜視図である。
【図１４】同サンプル展示体におけるサンプルホルダの変形例の平面図である。
【図１５】本発明のその他の実施の形態に係るサンプルホルダの平面図である。
【図１６】同実施の形態に係るサンプルホルダの平面図で、挟持アームでサンプルホルダを挟持している状態を示す。
【図１７】同実施の形態に係るサンプルホルダの斜視図で、挟持アームでサンプルホルダを挟持している状態を示す。
【発明を実施するための形態】
【００２０】
以下、本発明の実施の形態に係る自動販売機のサンプル展示体を、図面に基づき説明する。なお、ここで示す実施の形態はあくまでも一例であって、必ずしもこの実施の形態に限定されるものではない。
【００２１】
図１〜図３に示すように、本発明の実施の形態に係る自動販売機１は、前面が開口した略箱型の自動販売機本体２と、この自動販売機本体２の前面箇所に開閉自在に取り付けられた前扉３とを備えている。自動販売機本体２には、商品を収納する商品収納部（いわゆる庫内）４を断熱的に形成する商品収納庫５が設けられており、商品収納部４は冷凍サイクルの熱交換器などにより内部空気が冷却または加温されて、いわゆるコールド商品やホット商品などの調温された商品を当該自動販売機１で販売できるよう構成されている。商品収納庫５の前面開口部は、断熱機能を有する内扉６により開閉される。
【００２２】
前扉３は、接客面をなす外扉７と、外扉７と内扉６との間に設けられた中扉８とを有している。外扉７と中扉８との間には、複数個の商品サンプル（商品見本）１０やサンプル展示体２０を展示するサンプル展示室９が設けられている。外扉７は透明板１１を有しており、透明板１１がサンプル展示室９の前面部材をなし、中扉８がサンプル展示室９の背面部材をなしている。なお、１５は前扉の下部に設けられた商品取出口である。
【００２３】
サンプル展示室９には、前記商品サンプル（商品見本）１０やサンプル展示体２０を左右に並べてなるサンプル展示装置１２が設けられている。サンプル展示装置１２は、左右に延びる商品棚１３と、商品棚１３上に左右に並べられた状態で陳列される複数個の商品サンプル１０やサンプル展示体２０と、商品棚１３の内部に配設されて商品サンプル１０やサンプル展示体２０を上方および内部から照らし出す蛍光灯などからなる照明装置１４とを有している。なお、この実施の形態では、サンプル展示装置１２は上下複数段（例えば上下三段）設けられている。また、１６は商品棚１３の前面に取り付けられた商品選択ボタンである。
【００２４】
ここで、下段と中段のサンプル展示装置１２に設けられる商品サンプル１０は、個別の金型などを用いて、半割円筒形状などの立体形状で樹脂やフィルム等で作成されている従来の商品サンプルと同様なものである。一方、上段のサンプル展示装置１２に設けられるサンプル展示体（商品サンプルに相当するもの）２０は、前記商品サンプル１０とは異なった構造とされている。
【００２５】
また、図４（ａ）、（ｂ）に示すように、商品棚１３には、前記商品サンプル１０を装着する開口部１７が形成されており、形成された開口部１７は円形の外周の一部（２箇所）に広がり部１７ａを有する形状とされている。なお、飲料用商品を販売する自動販売機は、飲料メーカーが自社の飲料を販売するものとして購入する場合が多いため、商品棚１３に形成される商品サンプル取付用の開口部１７は、図４（ａ）や図４（ｂ）に示すように、自動販売機を購入した飲料メーカー毎に独自の形状とされている。しかし、上記したように、開口部１７が、円形の外周の一部に広がり部１７ａを有する形状とされている点では同じである。
【００２６】
上段のサンプル展示装置１２に設けられるサンプル展示体２０は、図５などに示すように、シート状の商品サンプルシート２１と、この商品サンプルシート２１を保持した状態で展示する透明樹脂などで透光性を有する材料で一体形成されたサンプルホルダ２２とから構成されている。商品サンプルシート２１は、図６に示すような、商品をカメラで撮影して得た写真や、デジタルスチルカメラなどで撮影して印刷した紙などで構成される。
【００２７】
図５〜図９に示すように、サンプルホルダ２２は、サンプル展示室９の商品棚１３の上面に載置されるベース部２３と、ベース部２３から上方に延びる立設部２４と、商品サンプル２１を立設部２４の裏面部（または表面部）に沿う姿勢に保持する切り起こし形状の保持部２５、２６と、ベース部２３から下方に突出された一対の係止用爪部２７などを有する。
【００２８】
図５、図７、図９などに示すように、ベース部２３は、商品棚１３に形成された開口部１７よりも一回り大きな略楕円の平板形状で形成されている。立設部２４は、平面視して中央部（幅方向中央部）が前方および後方に丸形（円弧状）に膨出する形状とされ、商品棚１３の開口部１７の直ぐ前方に、立設部２４における幅方向中央部が位置するよう配設される。保持部２５、２６は、図７（ｃ）、図８などに示すように、ベース部２３における立設部２４の幅方向中央部の後方近傍箇所から上方に突出する保持部２５と、図７（ａ）〜（ｃ）などに示すように、立設部２４における左右の側辺部からそれぞれ上下に２箇所で、後方近傍箇所から内側（幅方向中央側）に突出する保持部２６とからなっており、これらの保持部２５、２６は、立設部２４から、商品サンプルシート２１の収容隙間をあけて少し後方に位置するように一体形成されている。そして、立設部２４と保持部２５、２６との間に商品サンプル２１の下辺部分と両側辺部分とを挟持した状態で商品サンプルシート２１を保持する。
【００２９】
また、図５、図７（ｂ）、（ｃ）などに示すように、立設部２４の上部は、この上部の幅方向中央部、すなわち左右方向の中央部が左右方向の左側部および右側部よりも上方に凸となる湾曲形状で上方に延出されている。なお、立設部２４の上辺部には保持部が形成されておらず、これにより、商品サンプル２１は立設部２４の上辺部よりも上方に延出可能に構成されている。係止用爪部２７は、ベース部２３から下方に突出する平面視円弧状の第１突出部２７ａと、この第１突出部２７ａから側方に突出する第２突出部２７ｂとを有している。また、この実施の形態では、図７（ｃ）、図９などに示すように、ベース部２３の下面における外周部近傍箇所の４箇所に、下方に僅かに突出して、商品棚１３の上面に載置される載置部２３ａが形成されている。そして、係止用爪部２７が商品棚１６の開口部１７における広がり部１７ａが嵌まり込むように挿入した後に、サンプル展示体２０を周方向に回転させることで、係止用爪部２７が商品棚における開口部周辺の壁面部が、係止用爪部２７の第２突出部２７ｂとベース部２３の載置部２３ａとにより上下から挟み込まれた状態で係合されるよう構成されている。
【００３０】
上記構成において、販売する商品が変更される場合や商品が新製品である場合には、その実物商品をカメラで撮って写真にしたり紙に印刷したりするなどして商品サンプルシート２１とし、この商品サンプルシート２１をサンプルホルダ２２の立設部２４と保持部２５、２６との間に挿入する。これにより、商品サンプルシート２１がサンプルホルダ２２の立設部２４の裏面部に沿う姿勢に保持される。そして、この商品サンプルシート２１を保持させたサンプルホルダ２２をそのベース部２３（詳しくはベース部２３の載置部２３ａ）でサンプル展示室９の商品棚１３の上面に載置させることにより、前記商品に対応するサンプル展示体２０を容易かつ安価に展示することができる。すなわち、どんな商品に対応するサンプル展示体２０でも容易かつ安価に得ることができる。
【００３１】
また、立設部２４を、平面視して中央部が前方に円弧状に膨出する形状に形成することで、円筒形状の商品やＰＥＴボトル商品に似ているだけでなく、商品サンプルシート２１が自立して見栄えがよい（折曲した箇所がない）状態で展示することができる。つまり、商品サンプルシート２１としていわゆる腰のない紙などの薄いものでも腰折れすることなく立設部２４に良好に沿った状態で良好に取り付けることができる。また、サンプルホルダ２２が透光性を有するので、開口部１７を通して導入された照明光が商品サンプルシート２１の全体を裏面から照明して良好に前方に透過し、商品サンプルシート２１の商品画像を良好に引き立たせることができる。なお、立設部２４の膨出する形状は丸形に限るものではなく、図１０に示すように角形に膨出する形状に形成してもよい。この場合には、箱型商品に似せることができる利点もある。なお、図示しないが、立設部２４を後方に窪む形状としてもよく、この場合も商品サンプルシート２１が良好に自立した状態で配設することが可能である。
【００３２】
また、上記構成によれば、立設部２４の上辺部には保持部を形成せず、商品サンプルシート２１が、立設部２４の上辺部よりも上方に延出可能に構成されている。したがって、ＰＥＴボトル商品など背の高い商品を印刷した商品サンプルシート２１でも支障なく立設部２４から上方に延出させた状態で保持させて展示できる。また、立設部２４の上部が、左右方向の中央部が左右方向の左側部および右側部よりも上方に延びている形状に形成されているので、商品サンプルシート２１を、立設部２４の上辺部よりも上方に延出させた場合でも、この商品サンプルシート２１の延出部分がより自立しやすくなるので、商品サンプルシート２１が良好な体裁を保った状態で自立して、良好な見栄えを維持することができる。また、この場合に、立設部２４の上部を、左右方向の中央部と左側部および右側部とが同じ高さとなるように形成した場合と比較すると、図１１における斜線で示す部分Ａを省くことができるので、その分だけ製造コストを低減することができる。また、立設部２４の上部を、略円弧形状などの湾曲形状に形成することで、デザイン性も向上させることができる。
【００３３】
上記実施の形態では、保持部２５、２６を立設部２４よりも後側に切り起こすように形成し、商品サンプルシート２１を立設部２４の裏面部に沿う姿勢で保持するよう構成した場合を述べたが、これに代えて、図１２〜図１４に示すように、保持部２５、２６を立設部２４よりも前側に切り起こすように形成し、商品サンプルシート２１を立設部２４の表面部に沿う姿勢で保持するよう構成してもよい。
【００３４】
このように構成することで、商品サンプルシート２１を立設部２４よりも手前に位置させた状態で保持できる。この構成によれば、商品サンプルシート２１を、立設部２４の上辺部分よりも上方に延出するように形成した場合でも、自動販売機１の利用者が商品サンプルシート２１を見た際に、立設部２４の上辺端部が商品サンプルシート２１の裏側に隠れてしまう。これにより、商品サンプルシート２１の前に立設部２４の上辺端部が見えて体裁が悪くなったり、商品のイメージが低下したりする不具合を防止できて、見栄えを向上させることができる。つまり、保持部２５、２６を立設部２４よりも後側に切り起こすように形成し、商品サンプルシート２１を立設部２４の裏面部に沿う姿勢で、すなわち、立設部２４の後側で保持するよう構成した場合は、商品サンプルシート２１を、立設部２４の上辺部分よりも上方に延出するように形成した際には、商品サンプルシート２１の前に立設部２４の上辺端部が見えて商品の画像と重なり体裁が悪くなったり、商品のイメージが低下したりするおそれがあるが、本構成によれば、このような不具合を防止できる。
【００３５】
上記実施の形態では、商品棚１３に、商品サンプル１０を組み付けるための開口部１７が形成されている自動販売機の場合に、商品サンプルシート２１とサンプルホルダ２２とからなるサンプル展示体２０を配設した場合を述べたが、これに限るものではない。
【００３６】
図１５〜図１８は本発明のその他の実施の形態に係る自動販売機の商品サンプル展示装置に設けられたサンプル展示体およびその近傍箇所を示す図である。これらの図に示すように、この実施の形態の商品サンプル展示装置では、商品棚１３に、開口部１７は設けられておらず、この代わりに、展示室の背面に、実際の商品（例えば、円柱状の缶飲料商品など、ただし、中身を抜いている場合が多い）を挟み込んで展示する板ばね製の左右の挟持アーム３１が設けられている。
【００３７】
このように、挟持アーム３１を有する商品サンプル展示装置でも、上記実施の形態と同様な構成の商品サンプルシート２１とサンプルホルダ２２とからなるサンプル展示体２０が用いられる。但し、立設部２４が、図７（ａ）、図１２、図１５〜図１７に示すように、平面視して中央部が前方に膨出した形状とされているとともに、立設部２４の左辺部２４ａと右辺部２４ｂとが膨出部分の端部から後方に延びる形状に形成されている。さらに、立設部２４の左辺部２４ａと右辺部２４ｂとの前端からベース部２３の後端までの長さＢが、挟持アーム３１の前後方向長さよりも短い寸法で形成されている。
【００３８】
この構成によれば、立設部２４の左辺部２４ａおよび右辺部２４ｂが前後に延びるように形成されているとともに、左辺部２４ａおよび右辺部２４ｂの前端からベース部２３の後端までの長さＬが、挟持アーム３１の前後方向長さよりも短いので、サンプルホルダ２２が前記立設部２４の左辺部２４ａおよび右辺部２４ｂで、左右の挟持アーム３１に対して良好に当接する。
【００３９】
上記実施の形態では、保持部２５、２６により商品サンプルシート２１を立設部の裏面部に沿うように後側に配設したり、立設部の表面部に沿うように前側に配設したりした場合を述べたが、これに限るものではなく、立設部自体を前後に２枚形成し、これらの立設部間に商品サンプルシートを挿入してもよい。
【符号の説明】
【００４０】
１      自動販売機
２      自動販売機本体
３      前扉
７      外扉
８      中扉
９      サンプル展示室
１２    サンプル展示装置
１３    商品棚
１４    蛍光灯（照明装置）
１７    開口部
１７ａ  広がり部
２０    サンプル展示体
２１    商品サンプルシート
２２    サンプルホルダ
２３    ベース部
２４    立設部
２５、２６  保持部
２７    係止用爪部
３１    挟持アーム
【図１】
0005225432.tif 000002
【図２】
0005225432.tif 000003
【図３】
0005225432.tif 000004
【図４】
0005225432.tif 000005
【図５】
0005225432.tif 000006
【図６】
0005225432.tif 000007
【図７】
0005225432.tif 000008
【図８】
0005225432.tif 000009
【図９】
0005225432.tif 000010
【図１０】
0005225432.tif 000011
【図１１】
0005225432.tif 000012
【図１２】
0005225432.tif 000013
【図１３】
0005225432.tif 000014
【図１４】
0005225432.tif 000015
【図１５】
0005225432.tif 000016
【図１６】
0005225432.tif 000017
【図１７】
0005225432.tif 000018